(57)【要約】【課題】従来の冷蔵庫等の消費財保管庫では、収納した消費財の管理を消費財のライフサイクル全般に渡って行う。【解決手段】利用者家庭内で使用する消費財１３に取り付けられ無線送信手段を備えた非接触ＩＣタグ１４と、非接触ＩＣタグ１４からの信号を入力するアンテナ１５，非接触ＩＣタグ用リーダー／ライター１６と、前記信号が所定条件になると消費財１３の注文情報を作成する注文手段２６と、利用者家庭への消費財１３の配達を希望するか販売元に取り置きを希望するかという選択情報を利用者が予め登録する選択手段１８と、前記注文情報と前記選択情報とを販売元にネットワーク３を介して送信するＩ／Ｆ２５とを備える。【選択図】  図２
2004326147.tif 000002
【特許請求の範囲】
【請求項１】
利用者家庭内で使用する消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財の配達を希望するか販売元に取り置きを希望するかという選択情報を利用者が予め登録する選択手段と、前記注文情報と前記選択情報とを前記販売元に通信回線を介して送信する通信手段とを備えた消費財発注装置。
【請求項２】
自動注文か手動注文かを予め利用者が設定する注文モード設定手段を設け、前記自動注文が設定されていれば、消費財の注文情報を作成する請求項１に記載の消費財発注装置。
【請求項３】
消費財が食品である請求項１または２に記載の消費財発注装置を設けた冷蔵庫。
【請求項４】
記憶手段が非接触ＩＣタグであり、無線受信手段が非接触ＩＣタグ用リーダである請求項３に記載の消費財発注装置を設けた冷蔵庫。
【請求項５】
利用者家庭内で使用する消費財に取り付けられ無線送信手段を備えた記憶手段からの信号を入力する受信工程と、前記信号が所定条件になると前記消費財の注文情報を作成する注文情報作成工程と、利用者家庭への消費財配達を希望するか販売元に取り置きを希望するかという選択情報を利用者が予め登録する選択工程と、前記注文情報と前記選択情報とを前記販売元に通信回線を介して送信する送信工程とを有する消費財発注方法。
【請求項６】
利用者家庭内で使用する消費財に取り付けられた記憶手段からの信号を入力する無線受信プログラムと、前記信号が所定条件になると前記消費財の注文情報を作成する注文情報作成プログラムと、利用者家庭への消費財配達を希望するか販売元に取り置きを希望するかという選択情報を利用者が予め登録する選択プログラムと、前記注文情報と前記選択情報とを前記販売元に通信回線を介して送信する送信プログラムとを設けた消費財発注プログラム。
【請求項７】
請求項６に記載の消費財発注プログラムを記録した媒体。
【請求項８】
ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財配達を希望するか前記販売元に取り置きを希望するかという選択情報を利用者が予め登録する選択手段と、前記注文情報と前記選択情報とを前記販売元に利用者家庭内ネットワーク端末を介して送信する通信手段とを備えた消費財発注装置を有し、利用者は、前記選択情報が配達希望であれば前記消費財を配達してもらい、前記選択情報が取り置き希望であれば前記消費財を保管場所へ取りに行くことにより消費財を入手する消費財発注システム。
【請求項９】
ネットワークを介して利用者家庭内で使用する消費財の販売元にオンラインで発注する消費財発注方法において、前記消費財に取り付けられ無線送信手段を備えた記憶手段からの信号を無線受信手段で入力する受信工程と、前記信号が所定条件になると前記消費財の注文情報を作成する注文情報作成工程と、利用者家庭への消費財配達を希望するか前記販売元に取り置きを希望するかという選択情報を利用者が予め登録する選択工程と、前記注文情報を前記販売元に利用者家庭内ネットワーク端末を介して送信する送信工程と、前記選択情報が配達希望であれば前記消費財を利用者家庭へ配達してもらう配達工程と、前記選択情報が取り置き希望であれば前記利用者が前記消費財を保管場所へ取りに行くことにより消費財を入手する消費財発注方法。
【請求項１０】
ネットワークを介して利用者家庭内で使用する消費財の販売元にオンラインで発注する消費財発注システムにおいて、利用者家庭内ネットワーク端末から前記消費財の注文情報と利用者家庭への前記消費財配達を希望するか販売元に取り置きを希望するかという選択情報とを受信し、前記注文情報及び前記選択情報を分類して前記販売元へ送信するサーバを備えた消費財発注システム。
【請求項１１】
利用者家庭へ消費財を配達することによって作成された安否情報を受信し、予め登録された連絡者へ前記安否情報を送信するサーバを備えた請求項１０に記載の消費財発注システム。
【請求項１２】
サーバ管理者が、消費財の注文利用度合いに応じて利用者に課金する請求項１０に記載の消費財発注システム。
【請求項１３】
ネットワークを介して利用者家庭内で使用する消費財の販売元にオンラインで発注する消費財発注方法において、利用者家庭内ネットワーク端末から前記消費財の注文情報と利用者家庭への前記消費財配達を希望するか販売元に取り置きを希望するかという選択情報とをサーバで受信する受信工程と、前記注文情報及び前記選択情報を前記販売元へ前記サーバで送信する送信工程とを備えた消費財発注方法。
【請求項１４】
利用者家庭へ消費財を配達することによって作成された安否情報をサーバが受信する受信工程と、予め登録された連絡者へ前記安否情報をサーバが送信する送信工程とを備えた請求項１３に記載の消費財発注方法。
【請求項１５】
ネットワークを介して利用者家庭内で使用する消費財の販売元にオンラインで発注する消費財発注システムにおいて、サーバからの前記消費財の注文情報と利用者家庭への前記消費財配達を希望するか前記販売元に取り置きを希望するかという選択情報とを受信し、前記選択情報が配達希望であれば前記消費財を利用者へ配達手配を行い、前記選択情報が取り置き希望であれば前記消費財を保管する販売元を備えた消費財発注システム。
【請求項１６】
販売元が、注文された消費財の料金を利用者の銀行口座から自動引き落としする請求項１５に記載の消費財発注システム。
【請求項１７】
ネットワークを介して利用者家庭内で使用する消費財の販売元にオンラインで発注する消費財発注方法において、サーバからの前記消費財の注文情報と利用者家庭への前記消費財配達を希望するか前記販売元に取り置きを希望するかという選択情報とを受信する受信工程と、前記選択情報が配達希望であれば前記消費財を利用者へ配達手配を前記販売元が行う配達手配工程、あるいは前記選択情報が取り置き希望であれば前記消費財を前記販売元が保管する取り置き工程を備えた消費財発注方法。
【請求項１８】
販売元が、注文された消費財の料金を利用者の銀行口座から自動引き落としする請求項１７に記載の消費財発注方法。
【請求項１９】
ネットワークを介して利用者家庭内で使用する消費財の販売元にオンラインで発注する消費財発注システムにおいて、前記消費財を利用者への配達情報を販売元から受け取って前記利用者へ配達し、前記利用者の安否確認を行い安否情報を作成する配達システムを備えた消費財発注システム。
【請求項２０】
ネットワークを介して利用者家庭内で使用する消費財の販売元にオンラインで発注する消費財発注方法において、前記消費財を利用者への配達情報を販売元から受け取って前記利用者へ配達する配達工程と、配達時に前記利用者の安否確認を行い安否情報を作成する工程とを備えた消費財発注方法。
【請求項２１】
ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、前記注文情報を前記販売元に通信回線を介して送信する通信手段とを備えた消費財発注装置を有し、前記販売元または前記ネットワークのサーバ管理者が、利用者家庭内の利用者へ前記消費財発注装置を提供する消費財発注システム。
【請求項２２】
販売元またはネットワークのサーバ管理者は、消費財発注装置及びこの消費財発注装置を設けた冷蔵庫を利用者家庭内の利用者へ提供する請求項２１に記載の消費財発注システム。
【請求項２３】
ネットワークを介して利用者家庭内で使用する消費財の販売元にオンラインで発注する消費財発注システムにおいて、前記消費財に取り付けられ無線送信手段を備えた記憶手段に食品製造業、卸売市場、食料品流通、外食産業、消費者の食品供給経路情報を記憶させた食品供給経路配達システムを備えた請求項２１に記載の消費財発注システム。
【請求項２４】
利用者家庭内の利用者が注文した消費財の販売経路追跡を利用者が確認することができる請求項２３に記載の消費財発注システム。
【請求項２５】
ネットワークを介して利用者家庭内で使用する消費財の販売元にオンラインで発注する消費財発注システムにおいて、販売元またはネットワークのサーバ管理者は、消費財に関する食材安全情報を作成し利用者へ食材安全情報を提供する食材安全情報システムを備えた請求項２１に記載の消費財発注システム。
【請求項２６】
ネットワークを介して利用者家庭内で使用する消費財の販売元にオンラインで発注する消費財発注システムにおいて、販売元またはネットワークのサーバ管理者は、消費財に関する利用者の発注情報を作成し食品製造業、卸売市場、食料品流通、外食産業等へ発注情報を提供す発注情報システムを備えた請求項２１に記載の消費財発注システム。
【発明の詳細な説明】
【０００１】
【発明の属する技術分野】
本発明は、灯油，食品，洗剤等の家庭内における消費財を発注する消費財発注装置に関するものであり、特に、消費財の補充作業を軽減するのに好適な消費財発注装置と消費財発注システムと消費財発注方法と消費財発注プログラムとこのプログラムを記録した記録媒体と消費財発注装置を設けた冷蔵庫に関するものである。
【０００２】
【従来の技術】
従来から、利用者家庭内で定常的に消費される貯蔵型の消費財、例えば灯油，飲料水，米，生鮮食料品等を適当なタイミングで補充するシステムが求められている。
【０００３】
こうした背景の中で、家庭内に設けられた消費財発注装置により、利用者が消費する灯油，飲料水，米，生鮮食料品がなくなりかけたら、自動的にこれら消費財を発注する消費財発注システムが、数多く提案されている（例えば、特許文献１参照）。
【０００４】
以下、従来の消費財発注装置と消費財発注方法について、図面を参照しながら説明する。
【０００５】
図７は、従来の消費財発注装置のブロック図である。図７において、情報管理部３１は、各戸情報３２、在庫・仕入れ情報３３、配達情報３４、配達カレンダー３５を保有している。この情報管理部３１と情報の入出力を行うデータ処理部３６は、ユーザーインターフェース３７を介して送信情報の入力、受信情報の提示を行う。データ処理部３６は、Ｉ／Ｆ４１を介して、消費財４２に取り付けられたバーコード４３の情報を得る。そして、図７に示された消費財発注装置は、通信回線で接続されたサーバクライアントシステムを用いて、消費財４２を補充するものである。
【０００６】
この技術では、サーバクライアントシステムの端末が、消費財４２の量を検出してサーバ側に供給する手段を有し、サーバクライアントシステムのサーバが、端末から供給された消費材量の時間的減少率に基づいて消費財４２の補充日を算出し消費財４２の配達日を自動的に決定して、これにより効率的な消費財補充を行って、顧客に対するサービス向上を図るものである。
【０００７】
すなわち、この技術により、消費財４２の貯蔵量が減少した場合、利用者が、自ら販売元であるスーパーマーケットやコンビニエンスストア等の店舗に出向いて購入したり、あるいは電話などによって店舗に注文し配達依頼を行うことにより注文品を配達してもらったり、店舗側が、長期にわたる販売記録や配達経験から各家庭の消費財残量を推測し、顧客からの注文を受ける前に商品補充をすべく配達を行うということを不要にできるというものである。
【０００８】
【特許文献１】
特開２００１−２５００４７号公報
【０００９】
【発明が解決しようとする課題】
しかしながら上記従来のシステムでは、配達サービスだけであったり、システムを利用するためには特殊な機器の購入が必要であったり、多様なライフスタイルの利用者に対応できないものであった。
【００１０】
例えば、独身者や共稼ぎ夫婦のように、日中家庭に不在であることが多い利用者の場合、家庭に消費財４２が配達されたとしても直接受け取ることができず、配達日や配達時刻を販売店と調整する必要があり、折角自動注文されたのにもかかわらず注文作業の負荷が軽減しなかったり、また自動注文された消費財４２が保管されたままで、消費財４２が無くなる前に利用者が受け取ることができないという恐れがあった。
【００１１】
また、上記従来のシステムを利用するためには、消費財４２の残量を検出しデータ処理部３６へ供給するセンサ、あるいはこのセンサが取り付けられた米櫃等の機器の新規購入が必要になり、その地域に短い期間しか居住しない利用者、例えば転勤の多い利用者や２年から４年間くらいしか在住しない学生にとっては、初期費用の負担が大きく加入しにくいシステムであった。
【００１２】
本発明は上記従来の課題を解決するもので、家庭内で用いられる消費財の補充作業において、多様なライフスタイルの利用者に対応でき、利用者が加入し易い消費財発注装置と消費財発注システムと消費財発注方法と消費財発注プログラムとこのプログラムを記録した記録媒体と消費財発注装置を設けた冷蔵庫を提供することである。
【００１３】
【課題を解決するための手段】
本発明の請求項１に記載の発明は、利用者家庭内で使用する消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財配達を希望するか販売元に取り置きを希望するかという選択情報を利用者が予め登録する選択手段と、前記注文情報と前記選択情報とを前記販売元に通信回線を介して送信する通信手段とを備えたものであり、利用者は予め、消費財の配達か販売元に取り置きを希望することができるので、家を空けがちな利用者は、事前に発売元と消費財の配達日や配達時刻を調整する必要がなくなる。また、発売元は選択情報を事前に知ることで不在宅へ配送し、再配送する必要がなくなり、作業性を向上できるという作用を有する。
【００１４】
請求項２に記載の発明は、請求項１に記載の発明に、自動注文か手動注文かを予め利用者が設定する注文モード設定手段を設け、前記自動注文が設定されていれば、消費財の注文情報を作成するものであり、利用者は、事前に消費財の自動注文か手動注文かを選択することで、利用者は、事前に自動注文すれば消費財がなくなる前に消費財を受け取ることができるという作用を有する。
【００１５】
請求項３に記載の発明は、請求項１または２に記載の発明に、消費財が食品であるものであり、利用者はよく料理などで使う食材、例えば、ネギ、ニンジン、タマネギ、牛乳などを注文でき、食材がなくなった場合に速やかに食材を受け取ることができるという作用を有する。
【００１６】
請求項４に記載の発明は、請求項３に記載の発明に、記憶手段が非接触ＩＣタグ、無線受信手段が非接触ＩＣタグ用リーダであり、利用者は、注文する食材名などを手で入力する必要がなくなり、発注したい食材を無線受信手段に読み取らせることで、非接触ＩＣタグに記憶された内容を非接触ＩＣタグ用リーダで読み取り、自動で入力することができるという作用を有する。
【００１７】
請求項５に記載の発明は、利用者家庭内で使用する消費財に取り付けられ無線送信手段を備えた記憶手段からの信号を入力する受信工程と、前記信号が所定条件になると前記消費財の注文情報を作成する注文情報作成工程と、利用者家庭への消費財配達を希望するか販売元に取り置きを希望するかという選択情報を利用者が予め登録する選択工程と、前記注文情報と前記選択情報とを前記販売元に通信回線を介して送信する送信工程とを有するものであり、利用者は予め、消費財の配達か販売元に取り置きを希望することができるので、利用者は、事前に発売元と消費財の配達日や配達時刻を調整する必要がなくなる。また、発売元は選択情報を事前に知ることで不在宅へ配送する必要がなくなるという作用を有する。
【００１８】
請求項６に記載の発明は、利用者家庭内で使用する消費財に取り付けられた記憶手段からの信号を入力する無線受信プログラムと、前記信号が所定条件になると前記消費財の注文情報を作成する注文情報作成プログラムと、利用者家庭への消費財配達を希望するか販売元に取り置きを希望するかという選択情報を利用者が予め登録する選択プログラムと、前記注文情報と前記選択情報とを前記販売元に通信回線を介して送信する送信プログラムとを設けたものであり、利用者は予め、消費財の配達か販売元に取り置きを希望することができるので、家を空けがちな利用者は、事前に発売元と消費財の配達日や配達時刻を調整する必要がなくなる。また、発売元は選択情報を事前に知ることで不在宅へ配送してしまい、再配送しなければならないといった手間がなくなるという作用を有する。
【００１９】
請求項７に記載の発明は、請求項６に記載の消費財発注プログラムを記録した媒体を設けたものであり、消費財発注プログラムを記憶した媒体からパーソナルコンピュータや利用者家庭内ネットワーク端末などへプログラムを複写、又は、媒体からプログラムの読み出しできるという作用を有する。
【００２０】
請求項８に記載の発明は、ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財配達を希望するか前記販売元に取り置きを希望するかという選択情報を利用者が予め登録する選択手段と、前記注文情報と前記選択情報とを前記販売元に利用者家庭内ネットワーク端末を介して送信する通信手段とを備えた消費財発注装置を有し、利用者は、前記選択情報が配達希望であれば前記消費財を配達してもらい、前記選択情報が取り置き希望であれば前記消費財を保管場所へ取りに行くことにより消費財を入手できるものであり、利用者は予め、利用者家庭内ネットワーク端末を介して注文した消費財を配達してもらうのか、販売元に取り置きしてもらうのかを選択，希望することができるので、家を空けがちな利用者は、事前に発売元と消費財の配達日や配達時刻を調整する必要がなくなる。また発売元は、選択情報を事前に知ることで、不在宅へ配送してしまい再配送する必要がなくなるという作用を有する。
【００２１】
請求項９に記載の発明は、ネットワークを介して利用者家庭内で使用する消費財の販売元にオンラインで発注する消費財発注方法において、前記消費財に取り付けられ無線送信手段を備えた記憶手段からの信号を無線受信手段で入力する受信工程と、前記信号が所定条件になると前記消費財の注文情報を作成する注文情報作成工程と、利用者家庭への消費財配達を希望するか前記販売元に取り置きを希望するかという選択情報を利用者が予め登録する選択工程と、前記注文情報を前記販売元に利用者家庭内ネットワーク端末を介して送信する送信工程と、前記選択情報が配達希望であれば前記消費財を利用者家庭へ配達してもらう配達工程と、前記選択情報が取り置き希望であれば前記利用者が前記消費財を保管場所へ取りに行くことにより消費財を入手できるものであり、利用者は、事前に発売元と消費財の配達日や配達時刻を調整する必要がなくなる。また、発売元は選択情報を事前に知ることで、不在宅へ配送してしまい、再配送する手間が生じることがなくなるという作用を有する。
【００２２】
請求項１０に記載の発明は、ネットワークを介して利用者家庭内で使用する消費財の販売元にオンラインで発注する消費財発注システムにおいて、利用者家庭内ネットワーク端末から前記消費財の注文情報と利用者家庭への前記消費財配達を希望するか販売元に取り置きを希望するかという選択情報とを受信し、前記注文情報及び前記選択情報を分類して前記販売元へ送信するサーバを備えたものであり、サーバ側で消費財の注文情報又は選択情報を分類して販売元へ送信することができるので利用者は予め、販売元を指定して注文情報及び選択情報を選択する必要がなくなるという作用を有する。
【００２３】
また、サーバ側で集中したデータ管理することで、販売元で持たなくて良い情報（他の販売元の発注情報など）を管理する必要がなくなる。また、個人情報を他の販売元へ流れる恐れを未然に防げるという作用を有する。
【００２４】
請求項１１に記載の発明は、請求項１０に記載の発明に、利用者家庭へ消費財を配達することによって作成された安否情報を受信し、予め登録された連絡者へ前記安否情報を送信するサーバを備えたものであり、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなるという作用を有する。
【００２５】
請求項１２に記載の発明は、請求項１０に記載の発明に、サーバ管理者が、消費財の注文利用度合いに応じて利用者に課金するものであり、消費財の注文利用度合いに応じて利用者に課金することでサーバ側の運営費を継続して維持することができるという作用を有する。
【００２６】
請求項１３に記載の発明は、ネットワークを介して利用者家庭内で使用する消費財の販売元にオンラインで発注する消費財発注方法において、利用者家庭内ネットワーク端末から前記消費財の注文情報と利用者家庭への前記消費財配達を希望するか販売元に取り置きを希望するかという選択情報とをサーバで受信する受信工程と、前記注文情報及び前記選択情報を前記販売元へ前記サーバで送信する送信工程とを備えたものであり、サーバ側で消費財の注文情報又は選択情報を分類して販売元へ送信することができるので利用者は予め、販売元を指定して注文情報及び選択情報を選択する必要がなくなるという作用を有する。
【００２７】
また、サーバ側で集中したデータ管理することで、販売元で持たなくて良い情報（他の販売元の発注情報など）を管理する必要がなくなる。また、個人情報を他の販売元へ流れる恐れを未然に防げるという作用を有する。
【００２８】
請求項１４に記載の発明は、利用者家庭へ消費財を配達することによって作成された安否情報をサーバが受信する受信工程と、予め登録された連絡者へ前記安否情報をサーバが送信する送信工程とを備えたものであり、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなるという作用を有する。
【００２９】
請求項１５に記載の発明は、ネットワークを介して利用者家庭内で使用する消費財の販売元にオンラインで発注する消費財発注システムにおいて、サーバからの前記消費財の注文情報と利用者家庭への前記消費財配達を希望するか前記販売元に取り置きを希望するかという選択情報とを受信し、前記選択情報が配達希望であれば前記消費財を利用者へ配達手配を行い、前記選択情報が取り置き希望であれば前記消費財を保管する販売元を備えたものであり、利用者は利用者家庭内ネットワーク端末を介して、事前に発売元と消費財の配達日や配達時刻を調整する必要がなくなる。また、発売元は選択情報を事前に知ることで不在宅へ配送する必要がなくなるという作用を有する。
【００３０】
請求項１６に記載の発明は、請求項１５に記載の発明に、販売元が、注文された消費財の料金を利用者の銀行口座から自動引き落としするものであり、利用者の銀行口座から自動引き落としすることで、消費財を利用した販売元から支払いがくるたびに何回も支払いをする手間が省けるという作用を有する。
【００３１】
請求項１７に記載の発明は、ネットワークを介して利用者家庭内で使用する消費財の販売元にオンラインで発注する消費財発注方法において、サーバからの前記消費財の注文情報と利用者家庭への前記消費財配達を希望するか前記販売元に取り置きを希望するかという選択情報とを受信する受信工程と、前記選択情報が配達希望であれば前記消費財を利用者へ配達手配を前記販売元が行う配達手配工程、あるいは前記選択情報が取り置き希望であれば前記消費財を前記販売元が保管する取り置き工程を備えたものであり、利用者は利用者家庭内ネットワーク端末を介して、事前に発売元と消費財の配達日や配達時刻を調整する必要がなくなる。また、発売元は選択情報を事前に知ることで不在宅へ配送する必要がなくなるという作用を有する。
【００３２】
請求項１８に記載の発明は、販売元が、注文された消費財の料金を利用者の銀行口座から自動引き落としするものであり、利用者の銀行口座から自動引き落としすることで、消費財を利用した販売元から支払いがくるたびに何回も支払いをする手間が省けるという作用を有する。
【００３３】
請求項１９に記載の発明は、ネットワークを介して利用者家庭内で使用する消費財の販売元にオンラインで発注する消費財発注システムにおいて、前記消費財を利用者への配達情報を販売元から受け取って前記利用者へ配達し、前記利用者の安否確認を行い安否情報を作成する配達システムを備えたものであり、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなるという作用を有する。
【００３４】
請求項２０に記載の発明は、ネットワークを介して利用者家庭内で使用する消費財の販売元にオンラインで発注する消費財発注方法において、前記消費財を利用者への配達情報を販売元から受け取って前記利用者へ配達する配達工程と、配達時に前記利用者の安否確認を行い安否情報を作成する工程とを備えたものであり、遠く離れた高齢者もしくは介護者などが消費財を配達したときに消費財を受け取っているかなどの安否情報を作成し予め登録された連絡者へ安否情報を送信することで、安否情報を見ることで遠く離れた場所に確認する手間や利用者への確認電話などを利用して確認する手間がする必要がなくなるという作用を有する。
【００３５】
請求項２１に記載の発明は、ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、前記注文情報を前記販売元に通信回線を介して送信する通信手段とを備えた消費財発注装置を有し、前記販売元または前記ネットワークのサーバ管理者が、利用者家庭内の利用者へ前記消費財発注装置を提供するものであり、利用者家庭内の利用者へ前記消費財発注装置を提供することで、その地域に短い期間しか居住しない利用者、例えば転勤の多い利用者や２年から４年間くらいしか在住しない学生にとっては、初期費用が安価（リース費など）で抑えられることができるという作用を有する。
【００３６】
請求項２２に記載の発明は、請求項２１に記載の発明に、販売元またはネットワークのサーバ管理者は、消費財発注装置及びこの消費財発注装置を設けた冷蔵庫を利用者家庭内の利用者へ提供するものであり、利用者家庭内の利用者へ前記消費財発注装置を提供することで、その地域に短い期間しか居住しない利用者、例えば転勤の多い利用者や２年から４年間くらいしか在住しない学生にとっては、消費財発注装置を設けた冷蔵庫を別々で購入するのではなく冷蔵庫と一体になっているので初期費用が安価（リース費など）で抑えられることができるという作用を有する。
【００３７】
請求項２３に記載の発明は、請求項２１に記載の発明に、ネットワークを介して利用者家庭内で使用する消費財の販売元にオンラインで発注する消費財発注システムにおいて、前記消費財に取り付けられ無線送信手段を備えた記憶手段に食品製造業、卸売市場、食料品流通、外食産業、消費者の食品供給経路情報を記憶させた食品供給経路配達システムを備えたものであり、記憶手段に食品製造業、卸売市場、食料品流通、外食産業、消費者の食品供給経路情報を記憶させた食品供給経路配達システムを記憶させることができるので、販売元は、消費財を一つ一つ管理する手間が省ける。また、万が一消費財の安全性に疑いがある消費財を食品供給経路配達システムで消費財の供給経路を追跡することで利用者へ渡る前に未然に消費財の供給を停止することができるという作用を有する。
【００３８】
請求項２４に記載の発明は、請求項２３に記載の発明に、利用者家庭内の利用者が注文した消費財の販売経路追跡を利用者が確認することができるものであり、消費財が流通から利用者までの経路で流れてきたかがわかることができ、消費財の販売経路を利用者はしることができ消費財の安全性を確認することができるという作用を有する。
【００３９】
請求項２５に記載の発明は、請求項２１に記載の発明に、ネットワークを介して利用者家庭内で使用する消費財の販売元にオンラインで発注する消費財発注システムにおいて、販売元またはネットワークのサーバ管理者は、消費財に関する食材安全情報を作成し利用者へ食材安全情報を提供する食材安全情報システムを備えたものであり、消費財が流通から利用者までの経路で流れてきたか又は、消費財に含まれている食材栄養素などどういった成分が入っているかがわかることができ、消費財の表示に対する不安を利用者は解消できるという作用を有する。
【００４０】
請求項２６に記載の発明は、請求項２１に記載の発明に、ネットワークを介して利用者家庭内で使用する消費財の販売元にオンラインで発注する消費財発注システムにおいて、販売元またはネットワークのサーバ管理者は、消費財に関する利用者の発注情報を作成し食品製造業、卸売市場、食料品流通、外食産業等へ発注情報を提供す発注情報システムを備えたものであり、販売元に販売情報を提供することで消費財が伸びているか予測するデータマイニングを行い販売動向予測から必要なものだけを増産させたり増減させたりすることができるという作用を有する。
【００４１】
【発明の実施の形態】
以下、本発明による消費財発注装置と消費財発注システムと消費財発注方法と消費財発注プログラムとこのプログラムを記録した記録媒体と消費財発注装置を設けた冷蔵庫の実施の形態について、図面を参照しながら説明する。なお、従来と同一構成については、同一符号を付して詳細な説明を省略する。
【００４２】
（実施の形態１）
図１は、本発明の実施の形態１による利用者家庭、配達手段、コンビニエンスストア、銀行、連絡者のネットワーク上の関連を示したシステム関連図である。図２は、図１に示した消費財発注装置のブロック図である。図３は、図２の消費財発注装置の選択、注文のフローチャートである。図４は、図２の消費財発注装置の在庫管理のフローチャートである。図５は、図２の消費財発注装置の発注のフローチャートである。
【００４３】
同図において、利用者家庭１１に、生鮮食料品や飲料を収納・保管する消費財保管庫としての冷蔵庫１と、この冷蔵庫１の天面に取り付けられた消費財発注装置１２ａと、消費財発注装置１２ａと無線接続可能に設けられた家庭内ネットワーク端末２４とが配設されている。消費財発注装置１２ａにはアンテナ１５が設けられており、このアンテナ１５は冷蔵庫１の庫内壁面に取り付けられ、冷蔵庫１庫内に収納されている生鮮食料品，飲料等消費財１３に取り付けられた非接触ＩＣタグ１４に記憶されている商品情報を受信できる。そして、家庭内ネットワーク端末１２ａは、公衆回線や専用回線等の通信回線３（以下、ネットワーク３という）と、家庭内ネットワークとを接続できるよう設けられている。
【００４４】
２はコンビニエンスストアであり、食料品や家庭用品といった消費財１３の販売等を取り扱う販売元であるコンビニエンスストアである。このコンビニエンスストア２は、生鮮食料品，飲料等消費財１３を配達するとともに、利用者家庭１１における安否確認を行う配達手段６と、ネットワーク３を介して、有線もしくは無線で接続されている。
【００４５】
また、サーバＳの管理者は、利用者の消費財注文利用度合いに応じて利用者に課金するものであり、利用者に課金することによりネットワーク３を継続して維持運営している。
【００４６】
また、銀行４がネットワーク３にオンライン接続され、コンビニエンスストア２が、注文された消費財１３の料金を利用者の銀行口座から自動引き落としできる。
【００４７】
消費財発注装置１２ａには、消費財の選択、注文、発注を行う発注制御手段１２が設けられている。発注制御手段１２は非接触ＩＣタグ用リーダー／ライター１６と接続されている。非接触ＩＣタグ用リーダー／ライター１６は、消費財１３に取り付けられた非接触ＩＣタグ１４の商品情報をアンテナ１５を介して読み書きする。
【００４８】
また、発注制御手段１２は、自動注文か手動注文かを予め利用者が登録を行う注文モード設定手段１７と、家庭への消費財配達を希望するか販売元であるコンビニエンスストア２に取り置きしてもらうことを希望するかという選択情報を利用者が予め登録するための選択手段１８とも接続されている。登録された注文モードや選択情報は、発注制御手段１２を介して、メモリ２０に記憶される。
【００４９】
タイマー１９は発注制御手段１２に接続され、消費財１３の在庫状態をチェックする所定の時間間隔をカウントし、発注制御手段１２へ信号を出力する。冷蔵庫１内に収納された消費財１３の在庫状態は、発注制御手段１２により、在庫リスト用メモリ２１に書き込み，読み出しされる。
【００５０】
手動発注指示手段２２は、発注を自動ではなく手動で行う場合、利用者が操作して発注指示を発注制御手段１２を介して行うものである。消費財１３の発注は、発注制御手段１２から注文手段２６に信号出力し、注文手段２６が消費財１３の注文情報を作成して、Ｉ／Ｆ２５すなわちインターフェイス，家庭内ネットワーク端末２４を介し、ネットワーク３へ注文情報を送信することにより行われる。
【００５１】
また、発注制御手段１２には表示手段２４が接続され、この表示手段２４は、すべて動作を利用者に操作を分かり易く表示し誘導するとともに、在庫不足の消費財１３や消費財１３の発注済み表示を行う。
【００５２】
以上のように構成された消費財発注装置と消費財発注システムと消費財発注方法と消費財発注プログラムとについて、以下その動作を説明する。
【００５３】
まずステップ４１で、消費財１３を利用者の家に消費財１３を配達してもらうことを希望するか、コンビニエンスストア２に取り置いてもらうことを希望するかという選択情報を入力する。そしてステップ４２では、その選択情報を発注制御手段１２を介してメモり２０に登録する。
【００５４】
次にステップ４３で、消費財の注文を自動で行うか手動で行うかの設定である注文モードを入力する。そして、ステップ４４で、入力された注文モードを発注制御手段１２を介してメモり２０に登録し、「Ｓ１」に処理が移行する。
【００５５】
利用者家庭１１が留守をすることが少ない場合は、消費財１３を配達してもらうことを希望すれば、コンビニエンスストア２に消費財１３をいちいち購入に行く手間を省くことができる。
【００５６】
また、利用者家庭１１が共稼ぎ夫婦のように留守している時間が長い場合は、選択手段１８によりコンビニエンスストア２に取り置いてもらうことを登録しておけば、利用者の都合のよい時刻、例えば会社帰りの時刻に利用者家庭１１の近所または通勤経路中のコンビニエンスストア２に立ち寄り消費財１３を確実に購入できる。
【００５７】
また、利用者家庭１１が高齢者等体力的に弱者であり、購入対象の消費財１３が飲料，ヨーグルト，味噌等の比較的重い消費財１３である場合は、利用者は注文モード設定手段１７に自動注文を行うことを入力することにより、比較的重い消費財１３を購入するための買い物の労力を低減することができる。
【００５８】
ステップ５１で、タイマー１９をスタートさせる。タイマー１９は、消費財１３の在庫状態をチェックする所定の時間間隔をカウントし、発注制御手段１２へ信号を出力する。ステップ５２において、タイマー１９でカウントされた時間が所定時間に達していなければ「エンド」に移行し、タイマー１９でカウントされた時間が所定時間に達していれば、ステップ５３に進む。
【００５９】
ステップ５３では、非接触ＩＣタグ用リーダ／ライター１６が、消費財１３に取り付けられた非接触ＩＣタグ１４の商品情報を要求するため、アンテナ１５を介して要求信号を発信する。その要求信号を非接触ＩＣ１４タグが受信し（ステップ５４）、非接触ＩＣタグ１４が物品データを、アンテナ１５を介して発信する（ステップ５５）。その消費財１３の商品情報を非接触ＩＣタグ用リーダ／ライター１６が受信する（ステップ５６）。
【００６０】
受信した商品情報と在庫リスト用メモリ２１に記憶されている在庫リスト情報とを対比し（ステップ５７）、その消費財１３が在庫がある、すなわち冷蔵庫１内に既に収納されている場合はステップ５９へ、収納されていない場合はステップ５１０へ分岐する（ステップ５８）。
【００６１】
ステップ５９では、受信した商品情報を在庫リスト用メモリ２１内の在庫リストに追加記録し、在庫リスト用メモリ２１に記憶して在庫リストを更新し、ステップ５１１に進む。
【００６２】
ステップ５１０では、在庫リスト用メモリ２１内の在庫リストの消費財データの該当するフラグ欄にフラグをセットし、ステップ５１１に進む。
【００６３】
次にステップ５１１では、在庫リスト用メモリ２１内の在庫リストのうち消費されてしまい商品情報が受信されていない消費財１３、すなわちフラグがセットされていない消費財がある場合は、「Ｓ２」へ進み、物品がない場合は、「エンド」へ移行する。
【００６４】
図４のステップ５１１から「Ｓ２」へ移行し、ステップ６１において、商品情報が受信されておらず在庫リスト用メモリ２１内の該当するフラグ欄がセットされていない消費財１３の読み出しを行い、ステップ６２で、注文手段２６により、消費された消費財１３の注文情報が作成される。
【００６５】
ステップ６３では、家庭への消費財配達を希望するか、あるいはコンビニエンスストア２に取り置きしてもらうかという選択情報をメモリ２０から読み出しを行う。
【００６６】
ステップ６４において、利用者によって登録された発注モードが自動発注か手動発注かをメモり２０から発注制御手段１２が読み出し、自動発注モードの設定であればステップ６７へ進み、手動発注モードの設定であれば、ステップ６５へ進む。ステップ６５では、未受信消費財の在庫が不足している表示を液晶画面等の表示手段２３により行う。表示内容は、不足している消費財１３の商品名と「在庫がありません」等の消費財１３の購入を利用者に対し喚起するものである。ステップ６６で、手動での発注指示の設定がある場合は、ステップ６７へ移行し、手動での発注指示の設定がない場合は、ステップ６６を繰り返して発注指示待ち状態を継続する。
【００６７】
ステップ６７では、注文情報が、消費財発注装置１２ａのＩ／Ｆ２５，家庭内ネットワーク端末２４，ネットワーク３を介してコンビニエンスストア２へ送信される。ステップ６８では、消費財発注装置１２ａにより受信されなかった消費財１３を発注したことを表示手段２３に表示し、「エンド」へ進む。表示手段２３における発注完了表示は、所定時間後に表示を終える。
【００６８】
コンビニエンスストア２は、利用者家庭１１からの消費財１３の発注情報を受信すると、利用者の選択情報を確認する。利用者の選択情報が、利用者家庭１１への配達を希望している場合は、コンビニエンスストア２は、ネットワーク３を介して運送業者や社内配送部門等配達手段６へ、配達する消費財１３の商品名あるいは商品コードと配達先である利用者家庭１１の住所，氏名といった配達指示を送信する。コンビニエンスストア２からの配達指示を受信した配達手段６は、該当する消費財１３を利用者家庭１１へ配達する（配達処理）。そして、利用者家庭１１が安否確認対象家庭である場合は、配達手段６は、利用者家庭１１へ消費財１３を配達した時、利用者の健康状態等の安否を確認し（安否確認処理）、安否情報を作成して、ネットワーク３を通じ、契約している利用者の親族等連絡者５へ、作成した安否情報を送信する。連絡者５は、契約に応じて、配達手段６へ、利用料を支払う。
【００６９】
また、発注情報を送信した利用者の選択情報が、コンビニエンスストア２に取り置きすることを希望するものである場合、コンビニエンスストア２は、配達手段６へ、コンビニエンスストア２への配達指示を送信するとともに、コンビニエンスストア２内販売管理システムにおいて、取り置きの利用者，商品名を登録する。利用者は、後日、コンビニエンスストア２へ立ち寄り、発注した消費財１３を受け取る。
【００７０】
利用者は、発注した商品代金を銀行引き落としで支払うことを希望することもできる。その場合は、利用者が自分の預金口座のある銀行４にコンビニエンスストア２へ発注し購入した商品代金の引き落とし処理を登録することにより、コンビニエンスストア２から銀行４へ、利用者の預金口座からの引き落とし請求を行い、商品代金を銀行４からコンビニエンスストア２へ支払うことになる。
【００７１】
ネットワークのサーバＳの管理者は、利用者のネットワーク利用度合いに応じて課金する。このネットワーク利用料についても、発注商品代金と同様に、利用者は、銀行引き落としを利用できる。
【００７２】
また、サーバＳの管理者は、利用者の承諾を得て、消費財１３の発注情報をサーバＳに蓄積する。サーバＳの管理者は、この蓄積された発注情報を希望する企業、団体等へ販売することもできる。発注情報を購入した企業，団体は、発注情報と共に入手した利用者家庭１１の家族構成等の情報とリンクさせて、商品の企画，開発，販売活動に活用する。
【００７３】
以上のように本実施の形態の消費財発注装置と消費財発注システムと消費財発注方法と消費財発注プログラムとこのプログラムを記録した記録媒体と消費財発注装置を設けた冷蔵庫は、利用者家庭１１の利用者が、予め消費財１３を配達することを希望するかコンビニエンスストア２に取り置きを希望するかを選択できるので、利用者は、事前にコンビニエンスストア２と消費財１３の配達日や配達時刻を調整する必要がなくなる。また、コンビニエンスストア２は、利用者家庭が不在の時に配達し再度配達しなければならないという手間がなくなる。
【００７４】
また自動注文が設定されていれば、消費財１３の注文情報を作成するものであり、利用者は、事前に消費財１３の自動注文か手動注文かを選択することで、利用者は、事前に自動注文すれば消費財１３がなくなった後速やかに消費財１３を受け取ることができる。
【００７５】
また消費財１３が食品であるものであり、利用者はよく料理などで使う食材（ネギ、ニンジン、タマネギ、牛乳など）を注文することで、食材がなくなっても速やかに食材を受け取ることができる。
【００７６】
記憶手段が非接触ＩＣタグ１４であり、無線受信手段が非接触ＩＣタグ用リーダ１６であるものであり、利用者は、注文する食材名などを手で入力する必要がなくなり、発注したい食材を無線受信手段に読み取らせることで、記憶手段である非接触ＩＣタグ１４に記憶された内容を読み取り、自動で入力することができる。
【００７７】
利用者家庭１１内で使用する消費財１３に取り付けられ無線送信手段を備えた記憶手段である非接触ＩＣタグ１４からの信号を入力する受信工程であるアンテナ１５と、非接触ＩＣタグ用リーダー／ライター１６と、前記信号が所定条件になると消費財１３の注文情報を作成する注文情報作成工程と、利用者家庭１１への消費財配達を希望するかコンビニエンスストア２に取り置きを希望するかという選択情報を利用者が予め登録する選択工程と、前記注文情報と前記選択情報とをコンビニエンスストア２に通信回線を介して送信する送信工程であるＩ／Ｆ２５と、家庭内ネットワーク端末２４とを有するものであり、利用者は予め、消費財１３の配達か取り置きかを希望することができるので、利用者は、事前に発売元と消費財の配達日や配達時刻を調整する必要がなくなる。また、コンビニエンスストア２は、不在宅へ配達し再配達する必要がなくなる。
【００７８】
利用者家庭１１内で使用する消費財１３に取り付けられた記憶手段である非接触ＩＣタグ１４からの信号を入力する無線受信プログラムと、信号が所定条件になると消費財１３の注文情報を作成する注文情報作成プログラムと、利用者家庭１１への消費財１３の配達を希望するかコンビニエンスストア２に取り置きを希望するかという選択情報を利用者が予め登録する選択プログラムと、前記注文情報と前記選択情報とをコンビニエンスストア２に通信回線を介して送信する送信プログラムにおいて、利用者は予め、消費財１３の配達かコンビニエンスストア２に取り置きを希望することができるので、利用者は、事前にコンビニエンスストア２と消費財１３の配達日や配達時刻を調整する必要がなくなる。また、コンビニエンスストア２は、利用者家庭１１が不在の時に配達してしまい再配達する必要がなくなる。
【００７９】
また消費財発注プログラムを記録した媒体を設けたものであり、消費財発注プログラムを記憶した媒体からパーソナルコンピュータや家庭内ネットワーク端末２４などへプログラムを複写、又は、媒体からプログラムの読み出しができる。
【００８０】
ネットワーク３を介して利用者家庭１１内で使用する消費財１３の販売元であるコンビニエンスストア２にオンラインで発注する消費財発注システムにおいて、消費財１３に取り付けられ無線送信手段を備えた記憶手段である非接触ＩＣタグ１４と、記憶手段である非接触ＩＣタグ１４からの信号を入力する無線受信手段と、信号が所定条件になると消費財１３の注文情報を作成する注文手段２６と、利用者家庭１１への消費財１３の配達を希望するかコンビニエンスストア２に取り置きを希望するかという選択情報を利用者が予め登録する選択手段１８と、注文情報と前記選択情報とをコンビニエンスストア２に家庭内ネットワーク端末２４を介して送信する通信手段であるＩ／Ｆ２５とを備えた消費財発注装置１２ａを設けることにより、利用者は、選択情報が配達希望であれば消費財１３を配達してもらい、選択情報が取り置き希望であれば消費財１３をコンビニエンスストア２等の保管場所へ取りに行くことにより消費財１３を入手できるものであり、利用者は予め、消費財１３の配達かコンビニエンスストア２に取り置きを希望することができるので、利用者は、コンビニエンスストア２と消費財１３の配達日や配達時刻を調整する必要がなくなる。また、コンビニエンスストア２は、利用者家庭１１に利用者が不在の時に配達してしまい、再度配達しなければならないという手間がなくなる。
【００８１】
次にネットワーク３を介して利用者家庭１１内で使用する消費財１３の販売元であるコンビニエンスストア２にオンラインで発注する消費財発注方法において、消費財１３に取り付けられ無線送信手段を備えた記憶手段である非接触ＩＣタグ１４からの信号を無線受信手段であるアンテナ１５と非接触ＩＣタグ用リーダー／ライター１６で入力する受信工程と、前記信号が所定条件になると消費財１３の注文情報を作成する注文情報作成工程と、利用者家庭１１への消費財１３配達を希望するかコンビニエンスストア２に取り置きを希望するかという選択情報を利用者が予め登録する選択工程と、注文情報をコンビニエンスストア２に家庭内ネットワーク端末２４を介して送信する注文手段２６とＩ／Ｆ２５と、前記選択情報が配達希望であれば消費財１３を利用者家庭１１へ配達してもらう配達工程と、選択情報が取り置き希望であれば利用者が消費財１３をコンビニエンスストア２等の保管場所へ取りに行くことにより消費財１３を入手できるものであり、利用者は、発売元であるコンビニエンスストア２と消費財１３の配達日や配達時刻を調整する必要がなくなる。また、コンビニエンスストア２は、利用者家庭１１が不在の時に配達してしまい、再度配達しなければならないという手間がなくなる。
【００８２】
また、ネットワーク３を介して、利用者家庭１１内で使用する消費財１３の販売元であるコンビニエンスストア２に、オンラインで発注する消費財発注システムにおいて、家庭内ネットワーク端末２４から消費財１３の注文情報と家庭への前記消費財配達を希望するかコンビニエンスストア２に取り置きを希望するかという選択情報とを受信し、前記注文情報及び前記選択情報を分類してコンビニエンスストア２へ送信するサーバＳにおいて、サーバＳ側で消費財１３の注文情報又は選択情報を分類してコンビニエンスストア２へ送信することができるので、利用者は予め、販売元をその都度指定して注文情報及び選択情報を選択する手間がなくなる。
【００８３】
また、サーバＳ側で集中したデータ管理することで、コンビニエンスストア２で持たなくてよい情報（他の販売元の発注情報など）を管理する必要がなくなる。また、個人情報を他のコンビニエンスストア２へ流れる恐れを未然に防げる。
【００８４】
つぎに利用者家庭１１へ消費財１３を配達することによって作成された安否情報を受信し、予め登録された連絡者５へ前記安否情報を送信するサーバＳを備えたものであり、遠く離れた高齢者もしくは介護者などが消費財１３を発注して配達された消費財１３を受け取っているかなどの安否情報を作成し予め登録された連絡者へ安否情報を送信することで、安否情報を見ることで遠く離れた場所に確認する手間や利用者への確認電話などを利用して確認する必要がなくなる。
【００８５】
サーバＳの管理者が、消費財１３の注文利用度合いに応じて利用者に課金するものであり、消費財１３の注文利用度合いに応じて利用者に課金することでサーバＳ側の運営費を継続して維持することができる。
【００８６】
ネットワーク３を介して利用者家庭１１内で使用する消費財１３の販売元であるコンビニエンスストア２にオンラインで発注する消費財発注方法において、家庭内ネットワーク端末２４から消費財１３の注文情報と利用者家庭１１への消費財１３の配達を希望するかコンビニエンスストア２に取り置きを希望するかという選択情報とをサーバＳで受信する受信工程と、前記注文情報及び前記選択情報を前記販売元へサーバＳで送信する送信工程とを備えたものであり、サーバＳ側で消費財１３の注文情報又は選択情報を分類してコンビニエンスストア２へ送信することができるので、利用者は、販売元であるコンビニエンスストア２をその都度指定して注文情報及び選択情報を選択する手間がなくなる。
【００８７】
また、サーバＳ側で集中したデータ管理することで、販売元であるコンビニエンスストア２で持たなくて良い情報（他の販売元の発注情報など）を管理する必要がなくなる。また、個人情報を他のコンビニエンスストア２へ流れる恐れを未然に防げるという作用を有する。
【００８８】
利用者家庭１１へ消費財１３を配達することによって作成された安否情報をサーバＳが受信する受信工程と、予め登録された連絡者５へ前記安否情報をサーバＳが送信する送信工程とを備えたものであり、遠く離れた高齢者もしくは介護者などが消費財を発注して配達された消費財を受け取っているかなどの安否情報を作成し予め登録された連絡者５へ安否情報を送信することで、安否情報を見ることで遠く離れた場所に確認する手間や利用者への確認電話などを利用して確認する必要がなくなる。
【００８９】
またネットワークを介して利用者家庭１１内で使用する消費財１３のコンビニエンスストア２にオンラインで発注する消費財発注システムにおいて、サーバＳからの消費財１３の注文情報と利用者家庭１１への消費財１３配達を希望するかコンビニエンスストア２に取り置きを希望するかという選択情報とを受信し、選択情報が配達希望であれば消費財１３を利用者家庭１１へ配達手配を行い、前記選択情報が取り置き希望であれば前記消費財１３を保管するコンビニエンスストア２を備えたものであり、利用者は、コンビニエンスストア２と消費財１３の配達日や配達時刻を調整する必要がなくなる。また、コンビニエンスストア２は、利用者家庭１１が不在の時に配達してしまい、再度配達しなけらばならなくなるという手間がなくなる。
【００９０】
また販売元であるコンビニエンスストア２が、注文された消費財１３の代金を利用者の銀行口座から自動引き落としするものであり、利用者の銀行口座から自動引き落としすることで、消費財１３を利用したコンビニエンスストア２から支払いがくるたびに何回も支払いをする手間が省ける。
【００９１】
またネットワーク３を介して利用者家庭１１内で使用する消費財１３の販売元であるコンビニエンスストア２にオンラインで発注する消費財発注方法において、サーバＳからの消費財１３の注文情報と利用者家庭１１への消費財配達を希望するかコンビニエンスストア２に取り置きを希望するかという選択情報とを受信する受信工程と、前記選択情報が配達希望であれば前記消費財１３を利用者へ配達手配をコンビニエンスストア２が行う配達手配工程、あるいは選択情報が取り置き希望であれば消費財１３をコンビニエンスストア２が保管する取り置き工程を備えたものであり、利用者は、コンビニエンスストア２と消費財１３の配達日や配達時刻を調整する必要がなくなる。また、コンビニエンスストア２は、利用者家庭１１が不在の時に配達してしまい、再度配達しなければならなくなるという手間がなくなる。
【００９２】
つぎに販売元であるコンビニエンスストア２が、注文された消費財１３の代金を利用者の銀行４の預金口座から自動引き落としするものであり、利用者の銀行４の預金口座から自動引き落としすることで、消費財１３を購入しコンビニエンスストア２から支払いがくるたびに何回も支払いをする手間が省ける。
【００９３】
ネットワーク３を介して利用者家庭１１内で使用する消費財１３の販売元であるコンビニエンスストア２にオンラインで発注する消費財発注システムにおいて、消費財１３を利用者への配達情報を販売元から受け取って利用者へ配達し、利用者の安否確認を行い安否情報を作成する配達システムにおいて、遠く離れた高齢者もしくは介護者などが消費財１３を発注して配達された消費財１３を受け取っているかなどの安否情報を作成し予め登録された連絡者５へ安否情報を送信することで、安否情報を見ることで遠く離れた場所に確認する手間や利用者への確認電話などを利用して確認する必要がなくなる。
【００９４】
ネットワーク３を介して利用者家庭１１内で使用する消費財１３の販売元であるコンビニエンスストア２にオンラインで発注する消費財発注方法において、消費財１３を利用者への配達情報をコンビニエンスストア２から受け取って利用者へ配達する配達工程と、配達時に利用者の安否確認を行い安否情報を作成する工程とを備えたものであり、遠く離れた高齢者もしくは介護者などが消費財１３を配達したときに消費財１３を受け取っているかなどの安否情報を作成し予め登録された連絡者５へ安否情報を送信することで、安否情報を見ることで遠く離れた場所に確認する手間や利用者への確認電話などを利用して確認する手間がする必要がなくなる。
【００９５】
ネットワーク３を介して利用者家庭１１内で使用する消費財１３の販売元であるコンビニエンスストア２にオンラインで発注する消費財発注システムにおいて、消費財１３に取り付けられ無線送信手段を備えた記憶手段と、前記記憶手段からの信号を入力する無線受信手段と、信号が所定条件になると消費財１３の注文情報を作成する注文手段と、注文情報をコンビニエンスストア２に通信回線を介して送信する通信手段である注文手段２６とＩ／Ｆ２５とを備えた消費財発注装置１２ａを有し、販売元または前記ネットワーク３のサーバＳの管理者が、利用者家庭１１内の利用者へ消費財発注装置１２ａを提供するものであり、利用者家庭１１内の利用者へ消費財発注装置１２ａを提供することで、その地域に短い期間しか居住しない利用者、例えば転勤の多い利用者や２年から４年間くらいしか在住しない学生にとっては、初期費用が安価（リース費など）で抑えられることができる。
【００９６】
また販売元であるコンビニエンスストア２またはネットワーク３のサーバＳの管理者は、消費財発注装置１２ａ及びこの消費財発注装置１２ａを設けた冷蔵庫１を提供するものであり、利用者家庭１１内の利用者へ消費財発注装置１２ａを提供することで、その地域に短い期間しか居住しない利用者、例えば転勤の多い利用者や２年から４年間くらいしか在住しない学生にとっては、消費財発注装置１２ａを設けた冷蔵庫１を別々で購入するのではなく冷蔵庫１と一体になっているので初期費用が安価（リース費など）で抑えられることができる。
【００９７】
なお、本実施の形態では、消費財１３が無くなったことを検知して在庫不足表示あるいは自動発注を行っているが、冷蔵庫１に重量センサ等在庫量検出手段を設けることにより、消費財１３が完全に無くなる前に在庫不足を検出することが可能であり、この場合、毎日，あるいは毎食欠かさず必要とする飲料，食品，調味料等を切らすことなく、補充できることとなる。
【００９８】
また、本実施の形態では、冷蔵庫１内に収納される消費財１３を対象として説明したが、消費財発注装置１２ａのアンテナ１５を冷蔵庫１外にも設けることにより、冷蔵庫１に収納されない家庭用消費財１３、例えば米、灯油、洗剤等についても、上述の冷蔵庫１内に収納される消費財１３と同様に、発注，購入手続き上の効果や消費財供給経路情報の発信，受信の効果を得られる。
【００９９】
（実施の形態２）
図６は、卸売市場から、小売店を経由して、利用者家庭へ消費財が供給される流通システム図である。
【０１００】
同図において、卸売市場７の搬入口（図示せず），搬出口には卸売市場７のＲＦアンテナ７ａがそれぞれ設置され、配達業者８によって搬入，搬出される消費財１３に取り付けられた非接触ＩＣタグ１４から商品情報を入力、あるいは非接触ＩＣタグ１４へ卸売情報を出力する。この商品情報には、消費財１３の最小単位の情報のみならず、梱包単位，パレット単位の情報を含んでいる。また、卸売情報には、出荷した卸売市場名，出荷日時等が含まれている。また、ＲＦアンテナ７ａから入力された消費財１３の商品情報は、卸売市場７の入出荷情報として卸売市場７内で利用されるとともに、ネットワーク３を介してサーバＳへ送信され、該当する消費財１３の食品供給経路情報としてサーバＳに記憶される。
【０１０１】
小売店であるコンビニエンスストア２の搬入口，搬出口には、小売店のＲＦアンテナ２ａがそれぞれ設けられている。搬入口に設けられたＲＦアンテナ２ａは、卸売市場７から配達業者８により配送された消費財１３に取り付けられた非接触ＩＣタグ１４から、該当する消費財１３の商品情報を入力する。また、小売店であるコンビニエンスストア２の搬出口に設けられたＲＦアンテナ２ａは、コンビニエンスストア２から配達される消費財１３に取り付けられた非接触ＩＣタグ１４から該当する消費財１３の商品情報を入力するとともに、非接触ＩＣタグ１４へ出荷日時、店名等の小売店情報を書き込む。
【０１０２】
そして配達手段６により、消費財１３は、コンビニエンスストア２から利用者家庭１１へ配達される。この時、利用者家庭１１が安否確認対象家庭である場合は、配達手段６は、利用者家庭１１へ消費財１３を配達した時、利用者の健康状態等の安否を確認し（安否確認処理）、安否情報を作成して、ネットワーク３を通じ、契約している利用者の親族等連絡者５へ、作成した安否情報を送信する。連絡者５は、契約に応じて、配達手段６等へ、利用料を支払う。
【０１０３】
ネットワーク３を介して利用者家庭１１内で使用する消費財１３の販売元であるコンビニエンスストア２にオンラインで発注する消費財発注システムにおいて、消費財１３に取り付けられ無線送信手段を備えた記憶手段である非接触ＩＣタグ１４に食品製造業、卸売市場、食料品流通、外食産業、消費者の食品供給経路情報を記憶させた食品供給経路配達システムを備えたものであり、記憶手段である非接触ＩＣタグ１４に食品製造業、卸売市場、食料品流通、外食産業、消費者の食品供給経路情報を記憶させた食品供給経路配達システムを記憶させることができるので、販売元，小売店であるコンビニエンスストア２は、消費財１３を一つ一つ管理する手間が省ける。また、万が一消費財１３の安全性に疑いがある消費財１３を食品供給経路配達システムで消費財１３の供給経路を追跡することで利用者へ渡る前に未然に消費財１３の供給を停止する。
【０１０４】
利用者家庭１１内の利用者が注文した消費財１３の販売経路追跡を利用者が確認することができるものであり、消費財１３が流通から利用者までどのような流通，販売経路で流れてきたかを知ることができ、消費財１３の安全性を確認することができる。
【０１０５】
ネットワーク３を介して利用者家庭１１内で使用する消費財１３の販売元であるコンビニエンスストア２にオンラインで発注する消費財発注システムにおいて、コンビニエンスストア２またはネットワーク３のサーバＳの管理者は、消費財１３に関する食材安全情報を作成し利用者へ食材安全情報を提供する食材安全情報システムを備えたものであり、消費財１３が流通から利用者までどのような経路で流れてきたか又は、消費財１３に含まれている食材栄養素などどういった成分が入っているかがわかることができ、消費財１３の表示に対する不安を利用者は解消できる。
【０１０６】
ネットワーク３を介して利用者家庭１１内で使用する消費財１３の販売元であるコンビニエンスストア２にオンラインで発注する消費財発注システムにおいて、コンビニエンスストア２またはネットワーク３のサーバＳの管理者は、消費財１３に関する利用者の発注情報を作成し食品製造業、卸売市場、食料品流通、外食産業等へ発注情報を提供す発注情報システムを備えたものであり、コンビニエンスストア２に販売情報を提供することで消費財１３が伸びているか予測するデータマイニングを行い、販売動向予測から必要なものだけを増産させたり増させたりすることができる。
【０１０７】
以上のように、本実施の形態の冷蔵庫１としての消費財保管庫と消費財保管庫管理システムおよび消費財保管庫における消費財管理方法では、消費財保管庫において、保管する食材等の消費財１３の賞味期限や在庫を管理し、消費財１３を提供する大型小売店等の業者の受注システムにネットワークを介して接続して、自動あるいは手動で、在庫不足となったものなど必要な消費財１３をオンライン注文することができる。これにより、食材等の消費財１３の購入／運搬／保管／消費のライフサイクル全般を扱う自動化システムを構築することができる。
【０１０８】
そして、このように冷蔵庫１に在庫管理機能、および、購入先の流通業者とのネットワーク接続を行う機能を付け加え、流通業者への自動注文・配達を可能にしたことにより、冷蔵庫１内を常に賞味期限が差し迫っていない新しい消費財１３を格納する状態に保ち、在庫と使用の時間的なずれを無くすことが可能となる。また、注文をコンピュータ処理可能なデータで受け取ることができるので、流通業者側にとっても、注文受付・発注・配達等の管理を電子的に扱うことが容易となる。
【０１０９】
なお、本実施の形態では、卸売市場７から小売店であるコンビニエンスストア２を介して利用者家庭１１へ、消費財１３が配達される場合について説明したが、卸売市場７を食品製造業者に置き替え、コンビニエンスストア２を食品流通業者に置き替えても、同様の作用を奏するものである。
【０１１０】
本発明は、図１〜図６を用いて説明した例に限定されるものではなく、その要旨を逸脱しない範囲において種々変更可能である。例えば、本実施の形態では利用者家庭１１内で用いられる冷蔵庫１を例としたが、レストラン等の業務用の冷蔵庫や家庭内ネットワーク端末２４（パーソナルコンピュータ）などにも適用することができる。また、本実施の形態では、ネットワーク３として公衆回線や専用回線等の有線を用いているが、無線を用いることでも良い。
【０１１１】
また、本実施の形態では、本発明に関わる処理プログラムの記録媒体としてＣＤ−ＲＯＭ、ＤＶＤ、ＨＤＤ等の光ディスクを用いているが、ＦＤ（Ｆｌｅｘｉｂｌｅ  Ｄｉｓｋ）等の磁気ディスクを用いることでも良い。あるいは、アプリケーション処理部Ｉ／Ｆにより、ネットワーク３を介してダウンロード・インストールすることでも良い。
【０１１２】
【発明の効果】
以上説明したように請求項１に記載の発明は、利用者家庭内で使用する消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財配達を希望するか販売元に取り置きを希望するかという選択情報を利用者が予め登録する選択手段と、前記注文情報と前記選択情報とを前記販売元に通信回線を介して送信する通信手段とを備えることにより、利用者は予め、消費財の配達か販売元に取り置きを希望することができるので、利用者は、事前に発売元と消費財の配達日や配達時刻を調整する必要がなくなる。また、発売元は選択情報を事前に知ることで不在宅へ配送する必要がなくなる。
【０１１３】
請求項２に記載の発明は、請求項１に記載の発明に、自動注文か手動注文かを予め利用者が設定する注文モード設定手段を設け、前記自動注文が設定されていれば、消費財の注文情報を作成することにより、利用者は、事前に消費財の自動注文か手動注文かを選択することで、利用者は、事前に自動注文すれば消費財がなくなる前に消費財を受け取ることができる。
【０１１４】
請求項３に記載の発明は、請求項１または２に記載の発明に、消費財が食品としたので、利用者はよく料理などで使う食材（ネギ、ニンジン、タマネギ、牛乳など）を注文することで食材がなくなる前に食材を受け取ることができる。
【０１１５】
請求項４に記載の発明は、請求項３に記載の発明に、記憶手段が非接触ＩＣタグであり、無線受信手段が非接触ＩＣタグ用リーダとしたので、利用者は、注文する食材名などを手で入力する必要がなくなり、発注した食材を無線受信手段に読み取らせることで、記憶手段に記憶された内容を読み取り、自動で入力することができる。
【０１１６】
請求項５に記載の発明は、利用者家庭内で使用する消費財に取り付けられ無線送信手段を備えた記憶手段からの信号を入力する受信工程と、前記信号が所定条件になると前記消費財の注文情報を作成する注文情報作成工程と、利用者家庭への消費財配達を希望するか販売元に取り置きを希望するかという選択情報を利用者が予め登録する選択工程と、前記注文情報と前記選択情報とを前記販売元に通信回線を介して送信する送信工程とを有したので、利用者は予め、消費財の配達か販売元に取り置きを希望することができるので、利用者は、事前に発売元と消費財の配達日や配達時刻を調整する必要がなくなる。また、発売元は選択情報を事前に知ることで不在宅へ配送する必要がなくなる。
【０１１７】
請求項６に記載の発明は、利用者家庭内で使用する消費財に取り付けられた記憶手段からの信号を入力する無線受信プログラムと、前記信号が所定条件になると前記消費財の注文情報を作成する注文情報作成プログラムと、利用者家庭への消費財配達を希望するか販売元に取り置きを希望するかという選択情報を利用者が予め登録する選択プログラムと、前記注文情報と前記選択情報とを前記販売元に通信回線を介して送信する送信プログラムとを設けたことにより、利用者は予め、消費財の配達か販売元に取り置きを希望することができるので、利用者は、事前に発売元と消費財の配達日や配達時刻を調整する必要がなくなる。また、発売元は選択情報を事前に知ることで不在宅へ配送する必要がなくなる。
【０１１８】
請求項７に記載の発明は、請求項６に記載の消費財発注プログラムを記録した媒体を設けたことにより、消費財発注プログラムを記憶した媒体からパーソナルコンピュータや利用者家庭内ネットワーク端末などへプログラムを複写、又は、媒体からプログラムの読み出しできる。
【０１１９】
請求項８に記載の発明は、ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、利用者家庭への消費財配達を希望するか前記販売元に取り置きを希望するかという選択情報を利用者が予め登録する選択手段と、前記注文情報と前記選択情報とを前記販売元に利用者家庭内ネットワーク端末を介して送信する通信手段とを備えた消費財発注装置を有し、利用者は、前記選択情報が配達希望であれば前記消費財を配達してもらい、前記選択情報が取り置き希望であれば前記消費財を保管場所へ取りに行くことにより消費財を入手したので、利用者は予め、消費財の配達か販売元に取り置きを希望することができるので、利用者は利用者家庭内ネットワーク端末を介して、事前に発売元と消費財の配達日や配達時刻を調整する必要がなくなる。また、発売元は選択情報を事前に知ることで不在宅へ配送する必要がなくなる。
【０１２０】
請求項９に記載の発明は、ネットワークを介して利用者家庭内で使用する消費財の販売元にオンラインで発注する消費財発注方法において、前記消費財に取り付けられ無線送信手段を備えた記憶手段からの信号を無線受信手段で入力する受信工程と、前記信号が所定条件になると前記消費財の注文情報を作成する注文情報作成工程と、利用者家庭への消費財配達を希望するか前記販売元に取り置きを希望するかという選択情報を利用者が予め登録する選択工程と、前記注文情報を前記販売元に利用者家庭内ネットワーク端末を介して送信する送信工程と、前記選択情報が配達希望であれば前記消費財を利用者家庭へ配達してもらう配達工程と、前記選択情報が取り置き希望であれば前記利用者が前記消費財を保管場所へ取りに行くことにより消費財を入手したので、利用者は利用者家庭内ネットワーク端末を介して、事前に発売元と消費財の配達日や配達時刻を調整する必要がなくなる。また、発売元は選択情報を事前に知ることで不在宅へ配送する必要がなくなる。
【０１２１】
請求項１０に記載の発明は、ネットワークを介して利用者家庭内で使用する消費財の販売元にオンラインで発注する消費財発注システムにおいて、利用者家庭内ネットワーク端末から前記消費財の注文情報と利用者家庭への前記消費財配達を希望するか販売元に取り置きを希望するかという選択情報とを受信し、前記注文情報及び前記選択情報を分類して前記販売元へ送信するサーバを備えることにより、サーバ側で消費財の注文情報又は選択情報を分類して販売元へ送信することができるので利用者は予め、販売元を指定して注文情報及び選択情報を選択する必要がなくなる。
【０１２２】
また、サーバ側で集中したデータ管理することで、販売元で持たなくて良い情報（他の販売元の発注情報など）を管理する必要がなくなる。また、個人情報を他の販売元へ流れる恐れを未然に防げる。
【０１２３】
請求項１１に記載の発明は、請求項１０に記載の発明に、利用者家庭へ消費財を配達することによって作成された安否情報を受信し、予め登録された連絡者へ前記安否情報を送信するサーバを備えることにより、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなる。
【０１２４】
請求項１２に記載の発明は、請求項１０に記載の発明に、サーバ管理者が、消費財の注文利用度合いに応じて利用者に課金としたので、消費財の注文利用度合いに応じて利用者に課金することでサーバ側の運営費を継続して維持することができる。
【０１２５】
請求項１３に記載の発明は、ネットワークを介して利用者家庭内で使用する消費財の販売元にオンラインで発注する消費財発注方法において、利用者家庭内ネットワーク端末から前記消費財の注文情報と利用者家庭への前記消費財配達を希望するか販売元に取り置きを希望するかという選択情報とをサーバで受信する受信工程と、前記注文情報及び前記選択情報を前記販売元へ前記サーバで送信する送信工程とを備えることにより、サーバ側で消費財の注文情報又は選択情報を分類して販売元へ送信することができるので利用者は予め、販売元を指定して注文情報及び選択情報を選択する必要がなくなる。
【０１２６】
また、サーバ側で集中したデータ管理することで、販売元で持たなくて良い情報（他の販売元の発注情報など）を管理する必要がなくなる。また、個人情報を他の販売元へ流れる恐れを未然に防げる。
【０１２７】
請求項１４に記載の発明は、利用者家庭へ消費財を配達することによって作成された安否情報をサーバが受信する受信工程と、予め登録された連絡者へ前記安否情報をサーバが送信する送信工程とを備えることにより、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなる。
【０１２８】
請求項１５に記載の発明は、ネットワークを介して利用者家庭内で使用する消費財の販売元にオンラインで発注する消費財発注システムにおいて、サーバからの前記消費財の注文情報と利用者家庭への前記消費財配達を希望するか前記販売元に取り置きを希望するかという選択情報とを受信し、前記選択情報が配達希望であれば前記消費財を利用者へ配達手配を行い、前記選択情報が取り置き希望であれば前記消費財を保管する販売元を備えることにより、利用者は利用者家庭内ネットワーク端末を介して、事前に発売元と消費財の配達日や配達時刻を調整する必要がなくなる。また、発売元は選択情報を事前に知ることで不在宅へ配送する必要がなくなる。
【０１２９】
請求項１６に記載の発明は、請求項１５に記載の発明に、販売元が、注文された消費財の料金を利用者の銀行口座から自動引き落としとしたので、利用者の銀行口座から自動引き落としすることで、消費財を利用した販売元から支払いがくるたびに何回も支払いをする手間が省ける。
【０１３０】
請求項１７に記載の発明は、ネットワークを介して利用者家庭内で使用する消費財の販売元にオンラインで発注する消費財発注方法において、サーバからの前記消費財の注文情報と利用者家庭への前記消費財配達を希望するか前記販売元に取り置きを希望するかという選択情報とを受信する受信工程と、前記選択情報が配達希望であれば前記消費財を利用者へ配達手配を前記販売元が行う配達手配工程、あるいは前記選択情報が取り置き希望であれば前記消費財を前記販売元が保管する取り置き工程を備えることにより、利用者は利用者家庭内ネットワーク端末を介して、事前に発売元と消費財の配達日や配達時刻を調整する必要がなくなる。また、発売元は選択情報を事前に知ることで不在宅へ配送する必要がなくなる。
【０１３１】
請求項１８に記載の発明は、販売元が、注文された消費財の料金を利用者の銀行口座から自動引き落としするものであり、利用者の銀行口座から自動引き落としとしたので、消費財を利用した販売元から支払いがくるたびに何回も支払いをする手間が省ける。
【０１３２】
請求項１９に記載の発明は、ネットワークを介して利用者家庭内で使用する消費財の販売元にオンラインで発注する消費財発注システムにおいて、前記消費財を利用者への配達情報を販売元から受け取って前記利用者へ配達し、前記利用者の安否確認を行い安否情報を作成する配達システムを備えることにより、遠く離れた高齢者もしくは介護者などが消費財を発注して配達された消費財を受け取っているかなどの安否情報を作成し予め登録された連絡者へ安否情報を送信することで、安否情報を見ることで遠く離れた場所に確認する手間や利用者への確認電話などを利用して確認する必要がなくなる。
【０１３３】
請求項２０に記載の発明は、ネットワークを介して利用者家庭内で使用する消費財の販売元にオンラインで発注する消費財発注方法において、前記消費財を利用者への配達情報を販売元から受け取って前記利用者へ配達する配達工程と、配達時に前記利用者の安否確認を行い安否情報を作成する工程とを備えることにより、遠く離れた高齢者もしくは介護者などが消費財を配達したときに消費財を受け取っているかなどの安否情報を作成し予め登録された連絡者へ安否情報を送信することで、安否情報を見ることで遠く離れた場所に確認する手間や利用者への確認電話などを利用して確認する手間がする必要がなくなる。
【０１３４】
請求項２１に記載の発明は、ネットワークを介して利用者家庭内で使用する消費財の販売元にオンラインで発注する消費財発注システムにおいて、前記消費財に取り付けられ無線送信手段を備えた記憶手段と、前記記憶手段からの信号を入力する無線受信手段と、前記信号が所定条件になると前記消費財の注文情報を作成する注文手段と、前記注文情報を前記販売元に通信回線を介して送信する通信手段とを備えた消費財発注装置を有し、前記販売元または前記ネットワークのサーバ管理者が、利用者家庭内の利用者へ前記消費財発注装置を提供としたので、利用者家庭内の利用者へ前記消費財発注装置を提供することで、その地域に短い期間しか居住しない利用者、例えば転勤の多い利用者や２年から４年間くらいしか在住しない学生にとっては、初期費用が安価（リース費など）で抑えられることができる。
【０１３５】
請求項２２に記載の発明は、請求項２１に記載の発明に、販売元またはネットワークのサーバ管理者は、消費財発注装置及びこの消費財発注装置を設けた冷蔵庫を利用者家庭内の利用者へ提供としたので、利用者家庭内の利用者へ前記消費財発注装置を提供することで、その地域に短い期間しか居住しない利用者、例えば転勤の多い利用者や２年から４年間くらいしか在住しない学生にとっては、消費財発注装置を設けた冷蔵庫を別々で購入するのではなく冷蔵庫と一体になっているので初期費用が安価（リース費など）で抑えられることができる。
【０１３６】
請求項２３に記載の発明は、請求項２１に記載の発明に、ネットワークを介して利用者家庭内で使用する消費財の販売元にオンラインで発注する消費財発注システムにおいて、前記消費財に取り付けられ無線送信手段を備えた記憶手段に食品製造業、卸売市場、食料品流通、外食産業、消費者の食品供給経路情報を記憶させた食品供給経路配達システムを備えることにより、記憶手段に食品製造業、卸売市場、食料品流通、外食産業、消費者の食品供給経路情報を記憶させた食品供給経路配達システムを記憶させることができるので、販売元は、消費財を一つ一つ管理する手間が省ける。また、万が一消費財の安全性に疑いがある消費財を食品供給経路配達システムで消費財の供給経路を追跡することで利用者へ渡る前に未然に消費財の供給を停止することができる。
【０１３７】
請求項２４に記載の発明は、請求項２３に記載の発明に、利用者家庭内の利用者が注文した消費財の販売経路追跡を利用者が確認することができるとしたので、消費財が流通から利用者までの経路で流れてきたかがわかることができ、消費財の販売経路を利用者はしることができ消費財の安全性を確認することができる。
【０１３８】
請求項２５に記載の発明は、請求項２１に記載の発明に、ネットワークを介して利用者家庭内で使用する消費財の販売元にオンラインで発注する消費財発注システムにおいて、販売元またはネットワークのサーバ管理者は、消費財に関する食材安全情報を作成し利用者へ食材安全情報を提供する食材安全情報システムを備えることにより、消費財が流通から利用者までの経路で流れてきたか又は、消費財に含まれている食材栄養素などどういった成分が入っているかがわかることができ、消費財の表示に対する不安を利用者は解消できる。
【０１３９】
請求項２６に記載の発明は、請求項２１に記載の発明に、ネットワークを介して利用者家庭内で使用する消費財の販売元にオンラインで発注する消費財発注システムにおいて、販売元またはネットワークのサーバ管理者は、消費財に関する利用者の発注情報を作成し食品製造業、卸売市場、食料品流通、外食産業等へ発注情報を提供す発注情報システムを備えることにより、販売元に販売情報を提供することで消費財が伸びているか予測するデータマイニングを行い販売動向予測から必要なものだけを増産させたり増減させたりすることができる。
【０１４０】
本発明によれば、消費財保管庫に収納・保管する消費財の購入から消費までのライフサイクルの全体を自動化でき、在庫品の期限切れ管理や不足回避管理に要する人手による作業負荷を軽減できると共に、消費財の扱に係る利用者の注文作業負荷、および、消費財を提供する側の受注処理作業負荷を軽減することができ、このような消費財保管庫およびそれを用いたシステムの性能の向上を図ることが可能である。
【図面の簡単な説明】
【図１】本発明の実施の形態１による利用者家庭、配達手段、コンビニエンスストア、銀行、連絡者のネットワーク上の関連を示したシステム関連図
【図２】図１の消費財発注装置のブロック図
【図３】図２の消費財発注装置の選択、注文のフローチャート
【図４】図２の消費財発注装置の在庫管理のフローチャート
【図５】図２の消費財発注装置の発注のフローチャート
【図６】本発明の実施の形態２による卸売市場から小売店を経由して利用者家庭までの消費財の供給の流れを示す流通システム図
【図７】従来の消費財発注装置のブロック図
【符号の説明】
１    冷蔵庫
２    コンビニエンスストア
２ａ  ＲＦアンテナ
３    ネットワーク
４    銀行
５    連絡者
６    配達手段
７    卸売市場
７ａ  ＲＦアンテナ
８    配送業者
１１  利用者家庭
１２  発注制御手段
１３  消費財
１４  非接触ＩＣタグ
１５  アンテナ
１６  非接触ＩＣタグ用リーダー／ライター
１７  注文モード設定手段
１８  選択手段
１９  タイマー
２０  メモリ
２１  在庫リスト用メモリ
２２  手動発注指示手段
２３  表示手段
２４  家庭内ネットワーク端末
２５  Ｉ／Ｆ
２６  注文手段
【図１】
2004326147.tif 000003
【図２】
2004326147.tif 000004
【図３】
2004326147.tif 000005
【図４】
2004326147.tif 000006
【図５】
2004326147.tif 000007
【図６】
2004326147.tif 000008
【図７】
2004326147.tif 000009